(57)【要約】【課題】自機に記録されている画像データを簡単且つ適切に外部の機器に送信し、表示または記録させることができる携帯機器を提供すること。【解決手段】再生モード中に通信が確立した場合、再生時送信制御部２１１は、姿勢検出部１３による姿勢検出の結果をもとにカメラ本体の姿勢を判定する。そして、再生時送信制御部２１１は、カメラ本体の姿勢に応じて、再生中の撮影画像のデータに、この再生中の撮影画像を鑑賞用機器５−２で表示する際の表示方向を指示する表示情報を付加するとともに、鑑賞用機器５−２を送信先に指定してリモコン３に送信する。また、再生モード中でない場合には、制御部２１が、記録用機器５−１を送信先に指定して記録部１７に記録されている撮影画像のデータをリモコン３に送信する。【選択図】図７
2010045687.tif 000002
【特許請求の範囲】
【請求項１】
画像データを記録する記録部を備え、該記録部に記録された画像データを鑑賞用機器または記録用機器に送信する携帯機器であって、
前記記録部に記録された画像データを表示部に表示する表示モードを設定する設定部と、
指定された送信先にデータを転送する転送用機器との間で近接無線通信を行う近接通信部と、
装置本体の姿勢を検出する姿勢検出部と、
前記近接通信部を介し、前記画像データを前記転送用機器に送信する処理を行う送信制御部と、
を備え、
前記送信制御部は、前記表示モード中の場合には、前記装置本体の姿勢に応じて、前記表示部に表示中の画像データを前記鑑賞用機器で表示する際の表示情報を付加するとともに、前記鑑賞用機器を送信先に指定して前記表示中の画像データを送信し、前記表示モード中でない場合には、前記記録用機器を送信先に指定して前記記録部に記録されている所定の画像データを送信することを特徴とする携帯機器。
【請求項２】
画像データを記録する記録部を備え、該記録部に記録された画像データを鑑賞用機器または記録用機器に送信する携帯機器であって、
前記鑑賞用機器および前記記録用機器は所定のネットワークを介して接続され、指定された転送先に従ってデータの転送が可能に構成されており、
前記記録部に記録された画像データを表示部に表示する表示モードを設定する設定部と、
指定された送信先にデータを転送する転送用機器、前記鑑賞用機器または前記記録用機器との間で近接無線通信を行う近接通信部と、
前記近接通信部を介し、前記画像データを前記転送用機器、前記鑑賞用機器または前記記録用機器に送信する処理を行う送信制御部と、
を備え、
前記送信制御部は、前記表示モード中の場合には、少なくとも前記鑑賞用機器を送信先に指定して前記表示部に表示中の画像データを送信し、前記表示モード中でない場合には、少なくとも前記記録用機器を送信先に指定して前記記録部に記録されている所定の画像データを送信することを特徴とする携帯機器。
【発明の詳細な説明】
【技術分野】
【０００１】
本発明は、携帯機器に関するものである。
【背景技術】
【０００２】
近年、パソコンの普及やテレビの大画面化に伴い、デジタルカメラで撮影した画像をパソコンやテレビに表示させて楽しむユーザが増えている。また、この他にも、デジタルカメラで撮影した画像が蓄積されたメモリカード等の記録媒体から画像を読み出して専用の表示装置に表示するデジタルフォトフレームが実用化されている。
【０００３】
また、特許文献１には、テレビリモコンおよびデジタルカメラのいずれからの指示にも応答して起動可能であって、デジタルカメラで撮影した画像を表示することができるテレビが開示されている。
【０００４】
【特許文献１】特開２００７−１５８４０３号公報
【発明の開示】
【発明が解決しようとする課題】
【０００５】
しかしながら、上記のようにカメラで撮影した撮影画像をテレビ等の表示装置に送信して表示させる場合には、その都度カメラを表示装置とケーブル接続する等の作業が必要であり、手間であった。また、撮影画像には、縦構図で撮影されたものと、横構図で撮影されたものとがあるが、送信した撮影画像を外部の機器で表示する際の縦横の表示方向を指定するためには、そのための操作を個別に行う必要があり、操作が煩雑であった。さらに、このように撮影画像を外部の機器に表示させたい場合の他、撮影画像を外部の機器に送信して記録（バックアップ）しておきたい場合があるが、表示させたい機器と記録させたい機器とが別個の装置の場合には、送信先を指定する操作入力が必要であった。
【０００６】
本発明は、上記に鑑みてなされたものであって、自機に記録されている画像データを簡単且つ適切に外部の機器に送信し、表示または記録させることができる携帯機器を提供することを目的とする。
【課題を解決するための手段】
【０００７】
上述した課題を解決し、目的を達成するため、本発明にかかる携帯機器は、画像データを記録する記録部を備え、該記録部に記録された画像データを鑑賞用機器または記録用機器に送信する携帯機器であって、前記記録部に記録された画像データを表示部に表示する表示モードを設定する設定部と、指定された送信先にデータを転送する転送用機器との間で近接無線通信を行う近接通信部と、装置本体の姿勢を検出する姿勢検出部と、前記近接通信部を介し、前記画像データを前記転送用機器に送信する処理を行う送信制御部と、を備え、前記送信制御部は、前記表示モード中の場合には、前記装置本体の姿勢に応じて、前記表示部に表示中の画像データを前記鑑賞用機器で表示する際の表示情報を付加するとともに、前記鑑賞用機器を送信先に指定して前記表示中の画像データを送信し、前記表示モード中でない場合には、前記記録用機器を送信先に指定して前記記録部に記録されている所定の画像データを送信することを特徴とする。
【０００８】
また、本発明にかかる携帯機器は、上記の発明において、画像データを記録する記録部を備え、該記録部に記録された画像データを鑑賞用機器または記録用機器に送信する携帯機器であって、前記鑑賞用機器および前記記録用機器は所定のネットワークを介して接続され、指定された転送先に従ってデータの転送が可能に構成されており、前記記録部に記録された画像データを表示部に表示する表示モードを設定する設定部と、指定された送信先にデータを転送する転送用機器、前記鑑賞用機器または前記記録用機器との間で近接無線通信を行う近接通信部と、前記近接通信部を介し、前記画像データを前記転送用機器、前記鑑賞用機器または前記記録用機器に送信する処理を行う送信制御部と、を備え、前記送信制御部は、前記表示モード中の場合には、少なくとも前記鑑賞用機器を送信先に指定して前記表示部に表示中の画像データを送信し、前記表示モード中でない場合には、少なくとも前記記録用機器を送信先に指定して前記記録部に記録されている所定の画像データを送信することを特徴とする。
【発明の効果】
【０００９】
本発明によれば、表示モード中の場合には、装置本体の姿勢に応じて、表示部に表示中の画像データを鑑賞用機器で表示する際の表示情報を付加するとともに、鑑賞用機器を送信先に指定してこの表示中の画像データを送信し、表示モード中でない場合には、記録用機器を送信先に指定して記録部に記録されている所定の画像データを送信することができる。したがって、自機に記録されている画像データを簡単且つ適切に外部の機器に送信することができ、この画像データを外部の機器に表示または記録させることが可能となる。
【発明を実施するための最良の形態】
【００１０】
以下、図面を参照し、本発明の好適な実施の形態について詳細に説明する。なお、この実施の形態によって本発明が限定されるものではない。また、各図面の記載において、同一部分には同一の符号を付して示している。
【００１１】
（実施の形態１）
図１は、本発明の携帯機器を適用したデジタルカメラ１を含む画像送信システム１００の全体構成を説明する概略模式図である。図１に示すように、画像送信システム１００は、デジタルカメラ１と、転送用機器であるリモコン３と、リモコン３によって遠隔制御される鑑賞用機器５−１および記録用機器５−２とで構成される。また、図２は、画像送信システム１００において、デジタルカメラ１から鑑賞用機器５−１へとリモコン３を介してデータを送信する様子を示す図である。なお、図示しないが、デジタルカメラ１から記録用機器５−２へのデータ送信についても同様にして行われる。
【００１２】
デジタルカメラ１は、図２に示すように、カメラ本体１０の前面に撮像レンズ１１が配設されて構成され、この撮像レンズ１１を通して入射する被写体像を撮像する撮像部１１（図７を参照）を本体内部に備えている。また、カメラ本体１０の背面には表示部１５が配設されており、ユーザは、この表示部１５に表示されるライブビュー画像を見ながら撮影を行い、あるいは表示部１５に撮影した撮影画像を表示（再生）させて楽しむ。そして、実施の形態１では、表示部１５の画面（表示領域）全域に亘ってタッチパネル１６（図７を参照）が一体的に形成されている。
【００１３】
リモコン３は、電波を発信して制御対象機器の遠隔制御を行うものである。このリモコン３は、卓上等に据え置いて使用される電波リモコンを想定しており、前面に電波発信部３２を具備している。実施の形態１のリモコン３は、図１に示すように、鑑賞用機器５−１および記録用機器５−２の２種類の機器の遠隔制御を行う。
【００１４】
また、図２に示すように、デジタルカメラ１およびリモコン３は、それぞれ近接無線通信を行うための近接通信部１９，３４を備えている。デジタルカメラ１の近接通信部１９は、そのアンテナがカメラ本体１０の前面側に配置されるように具備される。一方、リモコン３の近接通信部３４は、そのアンテナが上面に配置されるように設けられており、互いに通信可能圏内に近接されると、デジタルカメラ１とリモコン３との間で通信が確立される。このように、実施の形態１では、近接通信部１９の配置によって通信時のカメラ本体１０の前後方向の姿勢を規定している。すなわち、リモコン３の上面に対してカメラ本体１０の前面側を対向させた状態でデジタルカメラ１をリモコン３に近づけると通信が確立される一方、リモコン３の上面に対してカメラ本体１０の背面側を近づけても通信が確立されない。
【００１５】
また、ユーザにとっては、撮影時や再生時と同様の要領でカメラ本体１０を保持してリモコン３に近づければよく、デジタルカメラ１の表示部１５が見える状態で通信が行える。これにより、通信の際、表示部１５の表示によって送受信の成否や送受したデータの内容等を容易に目視確認することができる。図３は、送信処理中にデジタルカメラ１の表示部１５に表示される送信画面の一例を示す図である。例えば、図３に示すように、送信画面には、送信される撮影画像のサムネイルＳ１や、データの送信状態を示す送信マークＭ１等が表示され、送信する撮影画像の内容や送信状態がユーザに提示される。
【００１６】
鑑賞用機器５−１は、リモコン３の制御対象機器であり、リモコン３からの制御信号を受信する電波発信部５３を具備している。この鑑賞用機器５−１は、例えばテレビを想定している。記録用機器５−２も同様に、リモコン３の制御対象機器であり、リモコン３からの制御信号を受信する電波発信部を具備している。この記録用機器５−２は、例えばパソコン（図１ではノートパソコン）を想定している。
【００１７】
実施の形態１では、デジタルカメラ１がリモコン３に近づけられて通信が確立した際のデジタルカメラ１のモードが表示モードである再生モードか否かによって送信先を切り換える。さらに、再生モードの場合には、通信確立時のカメラ本体１０の姿勢を加味した撮影画像の送信処理を行う。
【００１８】
すなわち、デジタルカメラ１がリモコン３に近づけられて通信が確立した際のデジタルカメラ１のモードが再生モードの場合には、送信先を鑑賞用機器５−１とする。そして、この場合には、送信先を鑑賞用機器５−１に指定して、再生中（表示中）の撮影画像をリモコン３に送信する。これに応答してリモコン３は、受信した撮影画像のデータを鑑賞用機器５−１に転送する。デジタルカメラ１では、この撮影画像のデータを送信する際、カメラ本体１０の姿勢を検出し、検出した姿勢に応じた送信処理を行う。例えば、図１に示す第１の姿勢Ｐ１１と第２の姿勢Ｐ１３とを検出する。
【００１９】
すなわち、第１の姿勢は、表示部１５の表示画面の全域が見えるようにして、カメラ本体１０が横長に把持された状態を第１の姿勢とする。この第１の姿勢は、デジタルカメラ１が具備する姿勢検出部１３（図７を参照）の姿勢検出の結果をもとに検出する。そして、カメラ本体１０の姿勢を第１の姿勢として検出した場合には、リモコン３に送信する再生中の撮影画像のデータに、この撮影画像を横長に回転させて表示するよう指示する表示情報を付加するようになっている。これは、カメラ本体１０が横長に把持された際の再生画像が横構図の撮影画像であることを想定しており、この撮影画像を表示する際の表示方向を鑑賞用機器５−１に対して適切に指示できる。
【００２０】
また、第２の姿勢は、表示部１５の表示画面の全域が見えるようにして、カメラ本体１０が縦長に把持された状態を第２の姿勢とする。この第２の姿勢は、デジタルカメラ１が具備する姿勢検出部１３の姿勢検出の結果をもとに検出する。そして、カメラ本体１０の姿勢を第２の姿勢として検出した場合には、リモコン３に送信する再生中の撮影画像のデータに、この撮影画像を縦長に回転させて表示するよう指示する表示情報を付加するようになっている。これは、カメラ本体１０が縦長に把持された際の再生画像が縦構図の撮影画像であることを想定しており、この撮影画像を表示する際の表示方向を鑑賞用機器５−１に対して適切に指示できる。
【００２１】
図４は、第１の姿勢で把持されたデジタルカメラ１から鑑賞用機器５−１へとリモコン３を介してデータを送信する様子を示す図である。デジタルカメラ１のモードが再生モードの場合に、図４中に矢印Ａ１１で示すように第１の姿勢のデジタルカメラ１がリモコン３に近づけられ、これらの間で通信が確立すると、デジタルカメラ１で再生中の撮影画像のデータがリモコン３に送信される。具体的にはこのとき、送信先を鑑賞用機器５−１に指定する送信先情報と、横長に回転させて表示するよう指示する表示情報とが付加されてリモコン３に送信される。この結果、デジタルカメラ１からリモコン３に送信された撮影画像のデータが鑑賞用機器５−１に転送され、この撮影画像が鑑賞用機器５−１の表示部５２に表示される。
【００２２】
ここで、リモコン３からテレビである鑑賞用機器５−１に撮影画像のデータが転送された際、鑑賞用機器５−１が放送番組の出力中の場合には、図４に示すように、表示部５２の表示画面が放送番組用の画面Ｗ１１と撮影画像用の画面（すなわち、外部入力用の画面）Ｗ１３とに２分割され、放送番組の映像データと、デジタルカメラ１からリモコン３を介して送信された撮影画像とが、各画面Ｗ１１，Ｗ１３にそれぞれ表示されるようになっている。これにより、放送番組を視聴しながら撮影画像を表示部５２に表示させることができ、放送番組の出力を中断させることなく撮影画像を閲覧することができる。
【００２３】
そして、撮影画像用の画面Ｗ１３において、リモコン３を介してデジタルカメラ１から鑑賞用機器５−１に送信された撮影画像Ｉ１１が横長に配置されて表示される。
【００２４】
また、図５は、第２の姿勢で把持されたデジタルカメラ１から鑑賞用機器５−１へとリモコン３を介してデータを送信する様子を示す図である。デジタルカメラ１のモードが再生モードの場合に、図５中に矢印Ａ１３で示すように第２の姿勢のデジタルカメラ１がリモコン３に近づけられ、これらの間で通信が確立すると、デジタルカメラ１で再生中の撮影画像のデータがリモコン３に送信される。具体的にはこのとき、送信先を鑑賞用機器５−１に指定する送信先情報と、縦長に回転させて表示するよう指示する表示情報とが付加されてリモコン３に送信される。この結果、デジタルカメラ１からリモコン３に送信された撮影画像のデータが鑑賞用機器５−１に転送され、この撮影画像が鑑賞用機器５−１の表示部５２に表示される。具体的にはこのとき、撮影画像用の画面Ｗ１３において、リモコン３を介してデジタルカメラ１から鑑賞用機器５−１に送信された撮影画像Ｉ１３が縦長に配置されて表示される。
【００２５】
一方、デジタルカメラ１がリモコン３に近接された際のデジタルカメラ１のモードが撮影モード等の再生モード以外のモードであれば、送信先をパソコンである記録用機器５−２とする。そして、この場合には、送信先を記録用機器５−２に指定して、デジタルカメラ１に記録されている一部または全部の撮影画像をリモコン３に送信する。これに応答してリモコン３は、受信した撮影画像のデータを記録用機器５−２に転送する。例えば、記録用機器５−２に対して既に送信した撮影画像を記録しておき、送信済みの撮影画像がある場合にはその撮影画像を除いて送信し、送信済みの撮影画像がなければ全ての撮影画像を送信する。これにより、デジタルカメラ１に記録されている撮影画像を、パソコン等の容量の大きい記録用機器５−２にバックアップとして記録させるといったことが可能となる。
【００２６】
図６は、実施の形態１のデジタルカメラ１が行う処理の概要を説明するフローチャートである。なお、図示しないが、デジタルカメラ１とリモコン３との間で通信が確立した際、デジタルカメラ１は、外部入力受付要求をリモコン３に送信するようになっている。そして、図６に示すように、デジタルカメラ１では、通信が確立した場合（ステップａ１：Ｙｅｓ）、先ず、現在のモードが再生モードか否かによって処理を分岐する。すなわち、再生モードの場合には（ステップａ３：Ｙｅｓ）、デジタルカメラ１の姿勢を検出する（ステップａ５）。そして、ステップａ５で検出した姿勢を判定し（ステップａ７）、図１に示した第１の姿勢Ｐ１１を検出した場合には、再生中の撮影画像のデータに、送信先を鑑賞用機器５−１に指定する送信先情報と、撮影画像を横長に回転させて表示するよう指示する表示情報とを付加してリモコン３に送信する（ステップａ９）。図１に示した第２の姿勢Ｐ１３を検出した場合には、再生中の撮影画像のデータに、送信先を鑑賞用機器５−１に指定する送信先情報と、撮影画像を縦長に回転させて表示するよう指示する表示情報とを付加してリモコン３に送信する（ステップａ１１）。
【００２７】
一方、デジタルカメラ１の現在のモードが再生モード以外のモードの場合には（ステップａ３：Ｎｏ）、再生中の撮影画像のデータに、送信先を記録用機器５−２に指定する送信先情報を付加してリモコン３に送信する（ステップａ１３）。
【００２８】
図７は、デジタルカメラ１、リモコン３、鑑賞用機器５−１および記録用機器５−２の主要内部構成の一例を示すブロック図である。図７に示すように、デジタルカメラ１は、撮像部１１、画像処理部１２、姿勢検出部１３、操作部１４、表示部１５、タッチパネル１６、記録部１７、時計部１８、近接通信部１９、制御部２１等を備える。
【００２９】
撮像部１１は、撮像レンズ１１を通して入射する被写体像を光電変換し、アナログ電気信号を出力するＣＣＤ（Charge Coupled Device）やＣＭＯＳ（Complementary Metal Oxide Semiconductor）等の撮像素子を含み、撮像素子からのアナログ電気信号をデジタル電気信号に変換して画像データを出力する。
【００３０】
画像処理部１２は、撮像部１１から出力された画像データに対して各種の画像処理を施すとともに、記録用や表示用に適した画像データに変換する処理を行う。例えば、撮影画像のデータを記録する際、あるいは記録されている画像データを表示する際等に、ＪＰＥＧ（Joint Photographic Experts Group）方式等に基づく画像データの圧縮処理や伸張処理を行う。この画像処理部１２は、画素数を増減させて画像データを拡大または縮小させるリサイズ処理を行うリサイズ部１２１を備える。実施の形態１では、リサイズ部１２１は、撮影画像の送信先がテレビである鑑賞用機器５−１である場合に、このテレビの解像度に応じて画素数を増減させて撮影画像をリサイズ処理する。
【００３１】
姿勢検出部１３は、カメラ本体１０の姿勢を検出するためのものであり、例えば重力センサ等で実現される。図８は、姿勢検出部１３によるカメラ本体１０の姿勢検出を説明するための図である。図８に示すように、例えば、デジタルカメラ１の光学系（撮像レンズ１１）の光軸方向をＺ軸方向とし、Ｚ軸方向に垂直な平面（撮像素子の撮像面）をＸＹ平面として各軸方向を定義する。ここで、Ｘ，Ｙ，Ｚ軸は、デジタルカメラ１に固定されたローカルな座標軸であり、カメラ本体１０の姿勢とは無関係である。姿勢検出部１３は、Ｘ，Ｙ，Ｚ軸の各軸方向の重力の方向を個別の重力センサによって検出し、姿勢情報として出力する。この姿勢検出部１３が出力する姿勢情報によって、図１に示した第１の姿勢Ｐ１１や図１に示した第２の姿勢Ｐ１３を検出することができる。
【００３２】
操作部１４は、設定部として、撮影の開始指示、撮影モードや再生モード、通信モードといったモードの選択操作、撮影条件の設定操作等、ユーザによる各種操作を受け付けて操作信号を制御部２１に通知するためのものである。
【００３３】
表示部１５は、撮影された撮影画像やライブビュー画像の他、デジタルカメラ１の各種設定情報等を表示するためのものであり、ＬＣＤ（Liquid Crystal Display）やＥＬディスプレイ（Electroluminescence Display）等の表示装置で実現される。この表示部１５には、撮影モード中は例えば１フレーム毎にライブビュー画像が再描画されて動画的に連続表示され、再生モード中は撮影画像が表示される。
【００３４】
また、デジタルカメラ１は、操作部１４とは別に、表示部１５の画面上に形成され、手指や専用のスタイラスペン等によるタッチ操作によって各種の操作入力を行うタッチパネル１６を備える。このタッチパネル１６は、感圧式や光学式、静電容量式、電磁誘導式等の検出原理によってタッチ操作位置を例えば画面を構成するドット単位で検出するものであり、タッチ操作された表示部１５上の位置を感知し、タッチ操作位置の位置座標を検出して制御部２１に出力する。
【００３５】
図９および図１０は、タッチパネル１６の検出原理の一例を説明する図である。図９に示すように、タッチパネル１６は、それぞれ帯状の透明抵抗膜１６２，１６４が形成された２枚の透明フィルム１６１，１６３を有しており、その透明抵抗膜１６２，１６４が互いに直交するように透明フィルム１６１，１６３が対向配置されて構成されている。そして、図１０に示すように、タッチパネル１６が押圧（タッチ）されて透明抵抗膜１６２，１６４が接触するとこれらの間が導通するようになっており、この導通位置をタッチ操作位置として検出する。
【００３６】
記録部１７は、デジタルカメラ１を動作させ、このデジタルカメラ１が備える種々の機能を実現するための各種のカメラプログラムや、このカメラプログラムの実行中に使用されるデータ等を記録しておくためのものであり、撮影された撮影画像のデータを記録しておくためのものである。この記録部１７は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜採用して用いることができる。
【００３７】
時計部１８は、日付および時刻を計時するためのものである。この時計部１８が計時する現在時刻によって、撮影画像の撮影日および撮影時刻が特定され、撮影画像のデータは、撮影日および撮影時刻とともに記録部１７に記録されるようになっている。
【００３８】
近接通信部１９は、リモコン３との間で近接無線通信を行うためのものであり、アンテナによってリモコン３の近接通信部１９との間で電波信号を送受信し、受信信号を復調処理するとともに、送信信号を変調処理する送受信回路等を備える。この近接通信部１９からは、その存在を報知する通信信号が定期的に送出されるようになっている。通信信号は、リモコン３の電源を投入するためのものであり、この通信信号によってリモコン３を電源投入できるようにしている。
【００３９】
制御部２１は、ＣＰＵ等で実現され、操作部１４からの操作信号等に応じて記録部１７からカメラプログラムを読み出して実行し、デジタルカメラ１を構成する各部に対する指示やデータの転送等を行ってデジタルカメラ１の動作を統括的に制御する。この制御部２１は、再生時送信制御部２１を含み、上記したカメラプログラムは、制御部２１を再生時送信制御部２１として機能させるためのプログラムを含む。
【００４０】
一方、リモコン３は、図７に示すように、操作部３１、電波発信部３２、記録部３３、近接通信部３４、振動検出部３５、制御部３６等を備える。
【００４１】
操作部３１は、例えばボタンスイッチやダイヤル等の各種入力装置によって実現されるものであり、操作入力に応じた操作信号を制御部３６に出力する。例えば、鑑賞用機器５−１や記録用機器５−２の電源ＯＮ／ＯＦＦの切り換え操作、チャンネルの切り換えや音量調節等のテレビ操作、インターネットの接続操作、記録部３３に記録されているコンテンツの再生操作、コンテンツの記録操作、撮影画像の拡大表示操作等を入力するためのものである。
【００４２】
記録部３３は、リモコン３を動作させ、このリモコン３が備える種々の機能を実現するためのプログラムや、このプログラムの実行中に使用されるデータ等を記録しておくためのものである。また、デジタルカメラ１から送信された撮影画像のデータを一時的に記録しておくためのものである。この記録部３３は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜選択して用いることができる。
【００４３】
近接通信部３４は、デジタルカメラ１との間で近接無線通信を行うためのものであり、アンテナによってデジタルカメラ１の近接通信部１９との間で電波信号を送受信し、受信信号を復調処理するとともに、送信信号を変調処理する送受信回路等で構成される。この近接通信部３４は、デジタルカメラ１から送出される通信信号を受信することでアンテナに生じた電磁誘導によって、停止状態または待機状態にある制御部３６を起動する起動部３４１を備えている。
【００４４】
電波発信部３２は、制御部３６の制御のもと、鑑賞用機器５−１や記録用機器５−２の動作を遠隔制御するための制御信号を発信する。例えば、操作部３１を介した電源切換信号やテレビ操作に応じた番組出力指示信号、インターネット接続操作に応じたインターネット接続指示信号、コンテンツ再生操作に応じたコンテンツ再生指示信号、コンテンツ再生操作に応じたコンテンツ再生指示信号、コンテンツ記録操作に応じたコンテンツ記録指示信号、鑑賞用機器５−１の表示部５２に表示されている撮影画像の拡大表示指示信号等の各種制御信号を鑑賞用機器５−１や記録用機器５−２に発信する。また、電波発信部３２は、制御部３６の制御のもと、デジタルカメラ１から送信された撮影画像のデータ信号を、鑑賞用機器５−１や記録用機器５−２に発信する。
【００４５】
振動検出部３５は、振動センサ等で実現され、例えば、リモコン３が卓上等の載置されている状態を判定する際等に使用される。
【００４６】
制御部３６は、ＣＰＵ等で実現され、操作部３１から入力される操作信号、記録部３３に記録されるプログラムやデータ等に基づいてリモコン３を構成する各部への指示やデータの転送等を行い、リモコン３の動作を統括的に制御する。この制御部３６は、転送制御部３６１を含む。
【００４７】
また、鑑賞用機器５−１は、図７に示すように、操作部５１、表示部５２、電波発信部５３、放送受信部５４、通信部５５、記録部５６、制御部５７等を備える。なお、記録用機器５−２の構成については図示を省略しているが、鑑賞用機器５−１と同様の構成で実現されるものである。
【００４８】
操作部５１は、例えば、キーボードやマウス、タッチパネル、ボタンスイッチ等の各種入力装置によって実現されるものであり、操作入力に応じた操作信号を制御部５７に出力する。表示部５２は、ＬＣＤやＥＬディスプレイ等の表示装置によって実現されるものであり、制御部５７から入力される表示信号に基づいて各種画面を表示する。電波発信部５３は、リモコン３から発信される制御信号を受信するためのものであり、受信した制御信号を制御部５７に出力する。
【００４９】
放送受信部５４は、放送局から送出される放送番組の放送波を受信するためのものである。この放送受信部５４は、アンテナやチューナ等で構成され、アンテナによって受信された放送信号の中から選択されたチャンネルの信号を選局し、復調処理等の信号処理を行って放送番組の映像データおよび音データを制御部５７に出力する。
【００５０】
通信部５５は、インターネットへの接続等の処理を行うためのものであり、ネットワークＮを介して接続される他の装置との間でデータ通信を行う。ここで、ネットワークＮは、例えば、インターネットおよびインターネットに接続するための各種通信回線と、それらを接続するインターネットプロバイダ等を含む。
【００５１】
記録部５６は、鑑賞用機器５−１を動作させ、この鑑賞用機器５−１が備える種々の機能を実現するためのプログラムや、このプログラムの実行中に使用されるデータ等を記録しておくためのものであり、インターネットに接続する等して取得したコンテンツデータ、デジタルカメラ１から送信されてリモコン３によって転送された撮影画像のデータ等を記録しておくためのものである。この記録部５６は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜選択して用いることができる。
【００５２】
制御部５７は、ＣＰＵ等で実現され、電波発信部５３を介してリモコン３から受信したデータ、操作部５１から入力される操作信号、記録部５６に記録されるプログラムやデータ等に基づいて鑑賞用機器５−１を構成する各部への指示やデータの転送等を行い、鑑賞用機器５−１の動作を統括的に制御する。
【００５３】
次に、デジタルカメラ１が行う処理手順について説明する。図１１は、デジタルカメラ１が行う基本処理の手順を示すフローチャートである。電源投入時、デジタルカメラ１は、ユーザ操作によって選択されるモードに応じた処理を行う。すなわち、現在選択されているモードが撮影モードの場合には（ステップｂ１：Ｙｅｓ）、制御部２１は、撮像部１１を起動して画像を取り込み、取り込んだ画像をライブビュー画像として表示部１５に表示する処理を行う（ステップｂ３）。そして、撮影指示がない間は（ステップｂ５：Ｎｏ）、ステップｂ３に戻って処理を繰り返し、ライブビュー画像を１フレーム毎に更新表示させる。そして、デジタルカメラ１が備える図示しないレリーズスイッチが押下されて撮影が指示された場合には（ステップｂ５：Ｙｅｓ）、撮影処理を行って、生成した撮影画像を記録部１７に記録する（ステップｂ７）。そして、制御部２１は、撮影画像の記録を終えると、ステップｂ３３に移行する。
【００５４】
一方、現在のモードが撮影モードではなく（ステップｂ１：Ｎｏ）、再生モードの場合には（ステップｂ９：Ｙｅｓ）、制御部２１は、記録部１７に記録された撮影画像の再生処理を行い、撮影画像を順次再生画像として切り換えて表示部１５に表示する（ステップｂ１１）。このとき、過去に撮影された撮影画像を先ずサムネイル形式で一覧表示させることとしてもよい。そして、一覧の中から選択された撮影画像を再生画像として再生表示することとしてもよい。
【００５５】
そして、この後、リモコン３との間で近接通信部１９を介した通信が確立した場合に（ステップｄ１３：Ｙｅｓ）、姿勢検出部１３によってカメラ本体１０の姿勢を検出し（ステップｂ１５）、再生時送信制御部２１１が、この姿勢検出の結果をもとに、カメラ本体１０の第１の姿勢または第２の姿勢を判定する（ステップｂ１７）。また、リモコン３との間で通信が確立した際、再生時送信制御部２１１は、近接通信部１９を介してリモコン３に外部入力受付要求を送信する。
【００５６】
そして、第１の姿勢を検出した場合には、再生画像を送信対象の撮影画像とし、リサイズ部１２１がこの撮影画像のリサイズ処理を行う（ステップｂ１９）。そして、再生時送信制御部２１１が、リサイズ処理した撮影画像のデータに、この撮影画像を横長に回転させて表示するよう指示する表示情報と、鑑賞用機器５−１を送信先に指定した送信先情報とを付加し、リモコン３に送信する（ステップｂ２１）。その後、ステップｂ３３に移行する。
【００５７】
一方、第２の姿勢を検出した場合には、再生画像を送信対象の撮影画像とし、リサイズ部１２１がこの撮影画像のリサイズ処理を行う（ステップｂ２３）。そして、再生時送信制御部２１１が、リサイズ処理した撮影画像のデータに、この撮影画像を縦長に回転させて表示するよう指示する表示情報と、鑑賞用機器５−１を送信先に指定した送信先情報とを付加し、リモコン３に送信する（ステップｂ２５）。その後、ステップｂ３３に移行する。
【００５８】
また、現在のモードが再生モードではなく（ステップｂ９：Ｎｏ）、通信モードの場合には（ステップｂ２７：Ｙｅｓ）、リモコン３との間で近接通信部１９を介した通信が確立するまで待機状態となる。そして、通信が確立すると（ステップｂ２９：Ｙｅｓ）、制御部２１は、記録部１７に記録されている例えば記録用機器５−２に対して未送信の撮影画像のデータに、記録用機器５−２を送信先に指定した送信先情報を付加してリモコン３に送信する（ステップｂ３１）。また、リモコン３との間で通信が確立した際、制御部２１は、近接通信部１９を介してリモコン３に外部入力受付要求を送信する。その後、ステップｂ３３に移行する。
【００５９】
すなわち、ステップｂ３３では、基本処理を終了するか否かを判定する。例えば、電源ＯＦＦが指示された場合には、本処理を終える（ステップｂ３３：Ｙｅｓ）。一方、終了しない場合には（ステップｂ３３：Ｎｏ）、ステップｂ１に戻る。
【００６０】
次に、リモコン３が行う処理手順について説明する。図１２は、リモコン３が行う基本処理の手順を示すフローチャートである。図１２に示すように、通信信号を送出しているデジタルカメラ１の近接通信部１９がリモコン３の近接通信部３４の通信可能圏内に近接されると、この通信信号の受信によって近接通信部３４のアンテナに電磁誘導が生じ、デジタルカメラ１との間で通信が確立する（ステップｃ１：Ｙｅｓ）。詳細にはこのとき、近接通信部３４の起動部３４１が、アンテナに生じた電磁誘導によって制御部３６を起動し、リモコン３の電源がＯＮされる（ステップｃ３）。
【００６１】
続いて、転送制御部３６１は、近接通信部３４を介してデジタルカメラ１から送信された撮影画像のデータを受信するまで待機状態となり、受信した場合に（ステップｃ５：Ｙｅｓ）、送信先情報をもとに転送先を判定する（ステップｃ７）。すなわち、転送制御部３６１は、送信先として鑑賞用機器５−１が指定されている場合には、電波発信部３２を介し、デジタルカメラ１からの撮影画像のデータ信号を鑑賞用機器５−１に発信する処理を行って転送する（ステップｃ９）。また、データの転送時、転送制御部３６１は、デジタルカメラ１から送信される外部入力受付要求に応答し、電波発信部３２を介して鑑賞用機器５−１に外部入力指示信号を送信するとともに、近接通信部３４を介して受信したデータの通信方式を、電波発信部３２を介したデータの通信方式に変換する。その後、ステップｃ１７に移行する。一方、送信先として記録用機器５−２が指定されている場合には、転送制御部３６１は、電波発信部３２を介し、デジタルカメラ１からの撮影画像のデータ信号を記録用機器５−２に発信する処理を行って転送する（ステップｃ１１）。また、データの転送時、転送制御部３６１は、デジタルカメラ１から送信される外部入力受付要求に応答し、電波発信部３２を介して記録用機器５−２に外部入力指示信号を送信するとともに、近接通信部３４を介して受信したデータの通信方式を、電波発信部３２を介したデータの通信方式に変換する。その後、ステップｃ１７に移行する。
【００６２】
なお、このステップｃ５（Ｙｅｓ）〜ステップｃ１１の処理中にリモコン操作があった場合には、一旦撮影画像の転送を中断し、リモコン操作を優先して鑑賞用機器５−１や記録用機器５−２の動作制御を行うようにしてもよい。そして、このリモコン操作に応じた鑑賞用機器５−１や記録用機器５−２の動作制御の後、ステップｃ５に戻って撮影画像の受信を受け付けて、処理を再開するようにしてもよい。
【００６３】
また、制御部３６は、リモコン操作（操作部３１に対する操作入力）があった場合には（ステップｃ１３：Ｙｅｓ）、指定された鑑賞用機器５−１または記録用機器５−２に対し、操作入力に応じた制御信号を電波発信部３２を介して発信するための処理を行う（ステップｃ１５）。なお、ここでは、鑑賞用機器５−１に対するリモコン操作があった場合を説明するが、記録用機器５−２に対するリモコン操作があった場合も同様に、操作入力に応じた制御信号を記録用機器５−２に発信する。すなわち、ここでの処理によって、例えば、電源のＯＮ／ＯＦＦ操作が入力された場合には、ＯＮ／ＯＦＦ信号が鑑賞用機器５−１に発信される。また、テレビ操作が入力された場合には、番組出力指示信号が鑑賞用機器５−１に発信される。インターネット接続操作が入力された場合には、インターネット接続指示信号が鑑賞用機器５−１に発信される。コンテンツ再生操作が入力された場合には、コンテンツ再生指示信号が鑑賞用機器５−１に発信される。コンテンツ記録操作が入力された場合には、コンテンツ記録指示信号が鑑賞用機器５−１に発信される。その後、ステップｃ１７に移行する。
【００６４】
すなわち、ステップｃ１７では、制御部３６は、基本処理を終了するか否かを判定する。例えば、電源ＯＦＦが指示された場合には、本処理を終える（ステップｃ１７：Ｙｅｓ）。一方、終了しない場合には（ステップｃ１７：Ｎｏ）、ステップｃ５に戻る。
【００６５】
次に、鑑賞用機器５−１が行う処理手順について説明する。図１３は、鑑賞用機器５−１が行う基本処理の手順を示すフローチャートである。この鑑賞用機器５−１は、リモコン３からの制御信号あるいは操作部５１に対するユーザ操作によって起動する。
【００６６】
そして、図１３に示すように、リモコン３からの撮影画像のデータ信号を受信した場合には（ステップｄ１：Ｙｅｓ）、制御部５７は、放送番組の出力中か否かを判定する。放送番組の出力中であれば（ステップｄ３：Ｙｅｓ）、制御部５７は、例えば表示画面を放送番組用の画面と受信した撮影画像の撮影画像用の画面とに２分割して放送番組の出力と撮影画像の表示とを２画面表示する（ステップｄ５）。放送番組の出力はリアルタイムで行われているため、完全に撮影画像の撮影画像用の画面に切り換えるのは好ましくないためである。また、リモコン３から拡大表示指示信号を受信した場合には（ステップｄ７：Ｙｅｓ）、制御部５７は、撮影画像用の画面（図３を参照）を拡大し、表示画面全体を外部入力用の画面にして撮影画像を全画面表示する処理を行う（ステップｄ９）。その後、ステップｄ１７に移行する。
【００６７】
一方、リモコン３から撮影画像のデータを受信した際に放送番組の出力中でない場合には（ステップｄ３：Ｎｏ）、制御部５７は、受信した撮影画像を全画面表示する処理を行う（ステップｄ１１）。その後、ステップｄ１７に移行する。
【００６８】
一方、リモコン３からの制御信号を受信した場合には（ステップｄ１３：Ｙｅｓ）、制御部５７は、受信した制御信号に応じた鑑賞用機器５−１の動作制御を行う（ステップｄ１５）。その後、ステップｄ１７に移行する。例えば、電源切換信号であれば、制御部５７は、電源のＯＮ／ＯＦＦを切り換える。番組出力指示信号であれば、制御部５７は、チャンネルの切り換えや音量調節等の番組出力指示信号であれば、制御部５７は、指定されたチャンネルの放送番組を出力するための処理や音量を調節する処理を行う。インターネット接続指示信号であれば、制御部５７は、ネットワークＮを介してユーザが指定したサイトに接続するための処理を行う。コンテンツ再生指示信号であれば、制御部５７は、ユーザが指定したコンテンツデータを記録部５６から読み出して再生する処理を行う。コンテンツ記録指示信号であれば、制御部５７は、インターネット上で公開・提供されているコンテンツのデータや、ステップｄ１で受信した撮影画像のデータ等、指示されたデータを記録部５６に記録する処理を行う。
【００６９】
そして、ステップｄ１７では、制御部５７は、基本処理を終了するか否かを判定し、終了する場合には（ステップｄ１７：Ｙｅｓ）、本処理を終える。一方、終了しない場合には（ステップｄ１７：Ｎｏ）、ステップｄ１に戻る。
【００７０】
次に、記録用機器５−２が行う処理手順について説明する。図１４は、記録用機器５−２が行う基本処理の手順を示すフローチャートである。なお、図１４では図示しないが、リモコン３からリモコン操作に応じた制御信号を受信した場合には、制御部は、受信した制御信号に応じた記録用機器５−２の動作制御を行う。
【００７１】
図１４に示すように、記録用機器５−２では、電波発信部を介してリモコン３から転送された撮影画像のデータ信号を受信した場合に（ステップｅ１：Ｙｅｓ）、受信した撮影画像のデータを記録部に記録する処理を行い（ステップｅ３）、その後ステップｅ２１に移行する。
【００７２】
一方、ユーザ操作によってインターネットの接続指示が入力された場合には（ステップｅ５：Ｙｅｓ）、制御部は、ネットワークＮを介してユーザが指定したサイトに接続するための処理を行う（ステップｅ７）。インターネットへの接続の切断が指示された場合には、ステップｅ２１に移行する。また、ユーザ操作によって放送番組の視聴が指示された場合には（ステップｅ９：Ｙｅｓ）、制御部は、ユーザが選択したチャンネルの放送番組を出力するための処理を行う（ステップｅ１１）。視聴終了が指示された場合には、ステップｅ２１に移行する。
【００７３】
また、ユーザ操作によってコンテンツの記録指示が入力された場合には（ステップｅ１３：Ｙｅｓ）、ユーザが指定したコンテンツデータを記録部に記録する処理を行う（ステップｅ１５）。ここで記録されるコンテンツデータは、例えば、ステップｅ７で接続したインターネット上のサイトで公開・提供されているコンテンツデータを含む。このコンテンツデータを記録する場合には、接続しているサイトにコンテンツデータのダウンロード要求を送信し、指定したコンテンツデータを取得して記録部に記録する。なお、コンテンツデータの取得はインターネット上で提供されているものに限定されず、例えばメモリカードやＣＤ−ＲＯＭ等の情報記録媒体によって提供されるものであってもよい。そして、コンテンツデータの記録を終えると、ステップｅ２１に移行する。
【００７４】
また、ユーザ操作によってコンテンツデータの再生指示が入力された場合には（ステップｅ１７：Ｙｅｓ）、ユーザが指定したコンテンツデータを記録部から読み出して再生する処理を行う（ステップｅ１９）。ここで再生されるコンテンツデータは、インターネットに接続等してダウンロードし、ステップｅ１５で記録部に記録したコンテンツデータの他、ステップｅ１（Ｙｅｓ）〜ステップｅ３で受信し記録部に記録したデジタルカメラ１からの撮影画像のデータが含まれる。コンテンツデータの再生終了が指示された場合には、ステップｅ２１に移行する。
【００７５】
そして、ステップｅ２１では、基本処理を終了するか否かを判定し、終了する場合には（ステップｅ２１：Ｙｅｓ）、本処理を終える。一方、終了しない場合には（ステップｅ２１：Ｎｏ）、ステップｅ１に戻る。
【００７６】
以上説明したように、実施の形態１によれば、再生モード中に通信が確立した場合は、送信先を鑑賞用機器５−１に指定し、再生中の撮影画像のデータに通信確立時のカメラ本体１０の姿勢に応じた表示情報を付加してリモコン３に送信することができ、リモコン３を介して撮影画像のデータを鑑賞用機器５−１に送信することができる。そして、鑑賞用機器５−１の表示部１５に、この撮影画像を表示情報に従って配置させて表示させることができる。したがって、鑑賞用機器５−１に表示させるときに縦配置で表示させるか横配置で表示させるかを、煩雑な操作入力を必要とせずに簡単に指定することができる。また、再生モード中でなければ、送信先を記録用機器５−２に指定し、記録部に記録されている撮影画像をリモコン３に送信することができ、リモコン３を介して撮影画像のデータを記録用機器５−２に送信することができる。したがって、デジタルカメラ１に記録されている撮影画像のデータを、簡単且つ適切に鑑賞用機器５−１に送信して表示し、または記録用機器５−２に送信して記録させることができるという効果を奏する。
【００７７】
（実施の形態２）
図１５は、実施の形態２の画像送信システム１００ａにおいて、デジタルカメラ１ａから鑑賞用機器５−１または記録用機器５−２へとリモコン３ａを介してデータを送信する様子を示す図である。実施の形態２では、上記した実施の形態１で説明したカメラ本体１０の第１の姿勢Ｐ１１および第２の姿勢Ｐ１３に加えて、カメラ本体１０の表示部１５を隠す把持状態Ｐ１５を検出し、この検出結果に応じて撮影画像の送信先を切り換える。表示部１５を隠す把持状態Ｐ１５を検出した場合には、送信先をパソコンである記録用機器５−２とする。そして、デジタルカメラ１ａに記録されている一部または全部の撮影画像をリモコン３ａに送信する。これに応答してリモコン３ａは、この撮影画像を記録用機器５−２に転送する。
【００７８】
図１６は、表示部１５を隠す把持状態を示す図であり、図１７は、このときのタッチパネル１６の押圧された領域Ｅ１を示す図である。図１６に示すように、表示部１５を隠すようにしてカメラ本体１０を把持した状態を、表示部１５を隠す把持状態とし、例えば図１７に示すように、タッチパネル１６の領域Ｅ１が押圧されているような場合等に、カメラ本体１０の把持状態をこの表示部１５を隠す把持状態として検出する。
【００７９】
図１８は、実施の形態２においてデジタルカメラ１ａがリモコン３ａとの間で通信が確立した際に行う処理の手順を示すフローチャートである。実施の形態２では、デジタルカメラ１ａのモードに関わらず、リモコン３ａとの間で近接通信部を介した通信が確立した場合に（ステップｆ１：Ｙｅｓ）、姿勢検出部によってカメラ本体１０の姿勢を検出する（ステップｆ３）。続いて、再生時送信制御部は、タッチパネル１６が押圧されているか否かに応じて、カメラ本体１０の把持状態を検出する（ステップｆ５）。具体的には、再生時送信制御部は、タッチパネル１６からの出力をもとにタッチパネル１６に対する押圧位置の有無を判定する。そして、再生時送信制御部は、タッチパネル１６が押圧されている場合に、カメラ本体１０の把持状態を図１６に示した表示部１５を隠した把持状態として検出する。
【００８０】
そして、再生時送信制御部は、ステップｆ５で検出したカメラ本体１０の把持状態が表示部１５を隠した把持状態の場合には（ステップｆ７：Ｙｅｓ）、記録部に記録されている例えば記録用機器５−２に対して未送信の撮影画像のデータに、記録用機器５−２を送信先に指定した送信先情報を付加してリモコン３ａに送信する（ステップｆ９）。
【００８１】
カメラ本体１０の把持状態が表示部１５を隠した把持状態でない場合には（ステップｆ７：Ｎｏ）、続いて、再生時送信制御部は、ステップｆ３で検出されたカメラ本体１０の姿勢を判定する（ステップｆ１１）。すなわち、カメラ本体１０の姿勢が第１の姿勢の場合には、表示部１５に表示されている撮影画像を送信対象の撮影画像とする。このとき、再生モード中であれば、再生中の撮影画像が送信対象とされる。また、撮影モード等の他のモード中であれば、例えばユーザが選択した撮影画像を送信対象として表示部１５に表示する処理を行う（ステップｆ１３）。続いて、リサイズ部がこの撮影画像のリサイズ処理を行う（ステップｆ１５）。そして、再生時送信制御部が、リサイズ処理した撮影画像のデータに、この撮影画像を縦長に回転させて表示するよう指示する表示情報と、鑑賞用機器５−１を送信先に指定した送信先情報とを付加し、リモコン３ａに送信する（ステップｆ１７）。
【００８２】
一方、カメラ本体の姿勢が第２の姿勢の場合には、表示部１５に表示されている撮影画像を送信対象の撮影画像とする。このとき、再生モード中であれば、再生中の撮影画像が送信対象とされる。また、撮影モード等の他のモード中であれば、例えばユーザが選択した撮影画像を送信対象として表示部１５に表示する処理を行う（ステップｆ１９）。続いて、リサイズ部がこの撮影画像のリサイズ処理を行う（ステップｆ２１）。そして、再生時送信制御部が、リサイズ処理した撮影画像のデータに、この撮影画像を縦長に回転させて表示するよう指示する表示情報と、鑑賞用機器５−１を送信先に指定した送信先情報とを付加し、リモコン３ａに送信する（ステップｆ２３）。
【００８３】
以上説明したように、実施の形態２によれば、再生モード中か否かに関わらず、把持状態が表示部１５を隠した把持状態のときには、記録用機器を送信先とし、デジタルカメラ１ａに記録されている一部または全部の撮影画像をリモコン３ａに送信することができる。
【００８４】
なお、上記した実施の形態２では、タッチパネル１６に対する押圧位置の有無をもとにカメラ本体１０の把持状態を検出する場合について説明したが、これに限定されるものではない。図１９は、本変形例における表示部の概略構成を説明する説明図である。図１９では、表示部の例として、液晶パネル２５１の背面にバックライト２５２が配置された表示装置を示している。図１９に示すように、液晶パネル２５１内に複数の光センサ２５３を例えば等間隔で分散配置しておく。そして、光センサ２５３の出力をもとに把持状態を検出することとしてもよい。具体的には、表示画面上を覆う物体Ｏ１（デジタルカメラ１を把持するユーザの手）によって反射したバックライト光を光センサ２５３によって検出し、表示部を隠した把持状態を検出することとしてもよい。
【００８５】
ここで、近接通信部１８，９６間の近接無線通信は、非接触状態で行われ、高速且つ大容量のデータ転送が可能な近接無線通信であって、例えば３７５Ｍｂｐｓ以上の転送速度を実現可能な非接触の近接無線通信を想定している。これにより、デジタルカメラ１に記録されている撮影画像の全部または一部を瞬時にリモコン３に送信することができる。
【００８６】
以上、この発明の好適な実施の形態について説明したが、この発明は、上記したものに限定されず、発明の趣旨を逸脱しない範囲で適宜変更が可能である。
【００８７】
例えば、上記した実施の形態では、リモコン３によってデジタルカメラ１に記録されている撮影画像を鑑賞用機器５−１または記録用機器５−２に転送する場合について説明したが、以下のようにしてもよい。すなわち、鑑賞用機器および記録用機器に近接通信部を設け、デジタルカメラが直接鑑賞用機器や記録用機器に近づけられた場合に、これらの間でデータの送受を行うようにしてもよい。このとき、デジタルカメラから鑑賞用機器や記録用機器に対し、カメラ本体の姿勢や把持状態に応じた撮影画像のデータを送信するようにしてもよい。
【００８８】
図２０は、デジタルカメラ１とテレビである鑑賞用機器５ｂ−１とが通信を行う様子を側面側から示した説明図である。図２０に示すように、鑑賞用機器５ｂ−１の近接通信部５８は、表示部５２が配設される前面にアンテナが配置されるように設けられている。そして、この近接通信部５８とデジタルカメラ１の近接通信部１９とが互いに通信可能圏内に近接されると、デジタルカメラ１と鑑賞用機器５ｂ−１との間で通信が確立される。したがって、デジタルカメラ１の表示部１５が見える状態で、かつ鑑賞用機器５ｂ−１の表示部５２も見える状態で通信が行える。
【００８９】
また、図２１は、デジタルカメラ１とパソコン（ノートパソコン）である記録用機器５ｂ−２とが通信を行う様子を側面側から示した説明図である。図２１に示すように、記録用機器５ｂ−２の近接通信部５８は、そのアンテナがキーボード面側に配置されるように設けられており、互いに通信可能圏内に近接されると、デジタルカメラ１と記録用機器５ｂ−２との間で通信が確立されるようになっている。したがって、デジタルカメラ１の表示部１５が見える状態で、かつ記録用機器５ｂ−２の表示部５２も見える状態で通信が行える。
【００９０】
また、上記のような場合に、デジタルカメラのモードが再生モードなのかどうかと、通信が確立した相手機器が鑑賞用機器なのか記録用機器なのかとを組み合わせて、送信先を決定するようにしてもよい。図２２は、本変形例における送信先の決定方法を説明する図である。なお、本変形例は、鑑賞用機器と記録用機器とが家電ネットワークによって接続されている場合を想定している。
【００９１】
図２２では、レコードＬ１１に示すように、デジタルカメラがリモコンに近づけられた場合、デジタルカメラのモードが再生モードならば、送信先を鑑賞用機器とし、再生モード以外のモードの場合には、送信先を記録用機器としている。デジタルカメラとリモコンとの間で通信が確立した際、再生モード中であれば、デジタルカメラで再生中の撮影画像を、リモコンを介して鑑賞用機器に送信し、表示させる。このとき、上記した実施の形態１と同様にして、カメラ本体の姿勢を検出して撮影画像を横長または縦長に回転させて表示するよう指示する表示情報を撮影画像のデータに付加して送信するようにしてもよい。一方、再生モード以外のモード中であれば、デジタルカメラに記録されている一部または全部の撮影画像を、リモコンを介して記録用機器に送信し、記録させる。
【００９２】
また、レコードＬ１３に示すように、デジタルカメラが鑑賞用機器に近づけられた場合、デジタルカメラのモードが再生モードならば、送信先を鑑賞用機器とし、再生モード以外のモードの場合には、送信先を記録用機器および鑑賞用機器としている。デジタルカメラと鑑賞用機器との間で通信が確立した際、再生モード中であれば、デジタルカメラで再生中の撮影画像を鑑賞用機器に送信し、表示させる。このとき、上記した実施の形態１と同様にして、カメラ本体の姿勢を検出して撮影画像を横長または縦長に回転させて表示するよう指示する表示情報を撮影画像のデータに付加して送信するようにしてもよい。一方、再生モード以外のモード中であれば、デジタルカメラに記録されている一部または全部の撮影画像を鑑賞用機器に送信し、記録させる。また、この撮影画像を、鑑賞用機器を介して記録用機器に送信し、表示させる。すなわちこの場合、鑑賞用機器は、この撮影画像を、家電ネットワークを介して接続される記録用機器に転送する処理を行う。
【００９３】
また、レコードＬ１５に示すように、デジタルカメラが記録用機器に近づけられた場合、デジタルカメラのモードが再生モードならば、送信先を記録用機器および鑑賞用機器とし、再生モード以外のモードの場合には、送信先を記録用機器としている。デジタルカメラと記録用機器との間で通信が確立した際、再生モード中であれば、デジタルカメラで再生中の撮影画像を記録用機器に送信し、ここでは表示させる。このとき、上記した実施の形態１と同様にして、カメラ本体の姿勢を検出して撮影画像を横長または縦長に回転させて表示するよう指示する表示情報を撮影画像のデータに付加して送信するようにしてもよい。また、この撮影画像を、記録用機器を介して鑑賞用機器に送信し、表示させる。すなわちこの場合、記録用機器は、この撮影画像を、家電ネットワークを介して接続される鑑賞用機器に転送する処理を行う。一方、再生モード以外のモード中であれば、デジタルカメラに記録されている一部または全部の撮影画像を記録用機器に送信し、記録させる。
【００９４】
また、上記した実施の形態では、表示中の撮影画像を鑑賞用機器で表示する際の表示情報として、この撮影画像を横長または縦長に回転させて表示するよう指示する表示情報を付加する場合について説明したが、回転角度（例えば９０°）を指示するようにしてもよい。そして、鑑賞用機器において、指示された回転角度に従って受信した撮影画像を回転させて配置（表示）するようにしてもよい。
【００９５】
また、上記した実施の形態では、鑑賞用機器５−１に送信された撮影画像をその表示部５２に表示することとしたが、表示した撮影画像を記録部５６に記録するようにしてもよい。また、記録用機器５−２に送信された撮影画像はその記録部に記録することとしたが、記録した撮影画像をその表示部に表示するようにしてもよい。また、記録用機器５−２に送信された撮影画像を表示部に表示する場合であって、記録用機器５−２が放送番組等のコンテンツの出力中の場合には、鑑賞用機器５−２に送信された撮影画像を表示部５２に表示する場合と同様に、表示画面をコンテンツ用の画面と受信した撮影画像の撮影画像用の画面とに２分割してコンテンツの出力と撮影画像の表示とを２画面表示するようにしてもよい。
【００９６】
また、上記した実施の形態では、デジタルカメラ１が撮影画像をリサイズ処理してリモコン３に送信することとしたが、リモコン３が撮影画像のリサイズ処理を行う構成としてもよい。
【００９７】
また、上記した実施の形態では、撮影画像に送信先情報を付加して送信することとしたが、再生モード中に通信が確立した際、撮影画像を送信処理する前に先ず、送信先情報をリモコン３に送信するようにしてもよい。これによれば、リモコン３は、撮影画像をデジタルカメラ１から受信する前に、送信先情報に従って鑑賞用機器５−１または記録用機器５−２を起動しておくことができる。
【００９８】
また、鑑賞用機器５−１において、放送番組の視聴中にデジタルカメラ１との間で通信が確立し、デジタルカメラ１から送信されたデータを受信した場合に、放送番組の出力を中断して表示部５２を外部入力に切り換え、撮影画像を表示部５２に全画面表示することとしても構わない。また、ユーザ操作に従って放送番組の出力およびデジタルカメラ１からのデータの再生のどちらを優先するかについて設定できるようにしてもよい。そして、放送番組の出力を優先する設定がされたならば、放送番組の出力中にリモコン３を介してデジタルカメラ１からの撮影画像のデータを受信した場合であっても、受信したデータを再生しないようにしてもよい。また、例えば、ＶＯＤ（Video On Demand）サービスによって提供されるコンテンツの視聴中等のように、途中でコンテンツの出力を中断しても後でコンテンツの出力を再開できるような場合であれば、２画面表示せずに撮影画像を表示部１５に全画面表示することとしてもよい。
【００９９】
また、上記した実施の形態では、携帯機器としてデジタルカメラを例に挙げて説明したが、デジタルカメラに限らず、例えば携帯電話機や携帯型のゲーム機、ノートパソコン、携帯型の音楽プレーヤ等、他の機器との間でデータの送受が可能な各種の携帯機器に適用できる。例えば、携帯機器を携帯型の音楽プレーヤに適用して音楽データを送受する場合に適用可能である。
【０１００】
また、上記した実施の形態では、コンテンツデータの一例として撮影画像を送受する場合について説明したが、前述の音楽データや音声データ等の音データをコンテンツデータとして送受する場合にも同様に適用できる。
【０１０１】
また、リモコンは、電波リモコンに限らず、赤外線信号を発信して制御対象の機器を遠隔制御するリモコンであってもよい。
【０１０２】
また、上記した実施の形態では、鑑賞用機器としてテレビを例に挙げて説明したが、表示部を備えたその他の機器に同様に適用できる。また、記録用機器としてパソコンを例に挙げて説明したが、ＤＶＤレコーダ等の記録装置や、サーバ装置等にも同様に適用できる。
【０１０３】
また、鑑賞用機器５−１や記録用機器５−２に記録されているコンテンツデータを、リモコン３を介してデジタルカメラ１に送信するようにしてもよい。すなわち、鑑賞用機器５−２や記録用機器５−２が例えばインターネットに接続してダウンロードしたコンテンツデータ等の鑑賞用機器５−１または記録用機器５−２に記録されているコンテンツデータを、リモコンによってデジタルカメラに転送することも可能である。
【図面の簡単な説明】
【０１０４】
【図１】画像送信システムの全体構成を説明する概略模式図である。
【図２】実施の形態１の画像送信システムにおいて、デジタルカメラから鑑賞用機器へとリモコンを介してデータを送信する様子を示す図である。
【図３】デジタルカメラの表示部に表示される送信画面の一例を示す図である。
【図４】第１の姿勢で把持されたデジタルカメラから鑑賞用機器へとリモコンを介してデータを送信する様子を示す図である。
【図５】第２の姿勢で把持されたデジタルカメラから鑑賞用機器へとリモコンを介してデータを送信する様子を示す図である。
【図６】実施の形態１のデジタルカメラが行う処理の概要を説明するフローチャートである。
【図７】デジタルカメラ、リモコン、鑑賞用機器および記録用機器の主要内部構成の一例を示すブロック図である。
【図８】姿勢検出部によるカメラ本体の姿勢検出を説明するための図である。
【図９】タッチパネルの検出原理の一例を説明する図である。
【図１０】タッチパネルの検出原理の一例を説明する図である。
【図１１】デジタルカメラが行う基本処理の手順を示すフローチャートである。
【図１２】リモコンが行う基本処理の手順を示すフローチャートである。
【図１３】鑑賞用機器が行う基本処理の手順を示すフローチャートである。
【図１４】記録用機器が行う基本処理の手順を示すフローチャートである。
【図１５】実施の形態２の画像送信システムにおいて、デジタルカメラから鑑賞用機器または記録用機器へとリモコンを介してデータを送信する様子を示す図である。
【図１６】表示部を隠す把持状態を示す図である。
【図１７】表示部を隠す把持状態でのタッチパネルの押圧された領域を示す図である。
【図１８】実施の形態２においてデジタルカメラがリモコンとの間で通信が確立した際に行う処理の手順を示すフローチャートである。
【図１９】変形例における表示部の概略構成を説明する説明図である。
【図２０】デジタルカメラと鑑賞用機器とが通信を行う様子を側面側から示した説明図である。
【図２１】デジタルカメラと記録用機器とが通信を行う様子を側面側から示した説明図である。
【図２２】変形例における送信先の決定方法を説明する図である。
【符号の説明】
【０１０５】
１      デジタルカメラ
１１      撮像部
１２      画像処理部
１２１      リサイズ部
１３      姿勢検出部
１４      操作部
１５      表示部
１６      タッチパネル
１７      記録部
１８      時計部
１９      近接通信部
２１      制御部
２１１      再生時送信制御部
３      リモコン
３１      操作部
３２      電波発信部
３３      記録部
３４      近接通信部
３４１      起動部
３５      振動検出部
３６      制御部
３６１      転送制御部
５−１      鑑賞用機器
５１      操作部
５２      表示部
５３      電波発信部
５４      放送受信部
５５      通信部
５６      記録部
５７      制御部
５−２      記録用機器
【図１】
2010045687.tif 000003
【図２】
2010045687.tif 000004
【図３】
2010045687.tif 000005
【図４】
2010045687.tif 000006
【図５】
2010045687.tif 000007
【図６】
2010045687.tif 000008
【図７】
2010045687.tif 000009
【図８】
2010045687.tif 000010
【図９】
2010045687.tif 000011
【図１０】
2010045687.tif 000012
【図１１】
2010045687.tif 000013
【図１２】
2010045687.tif 000014
【図１３】
2010045687.tif 000015
【図１４】
2010045687.tif 000016
【図１５】
2010045687.tif 000017
【図１６】
2010045687.tif 000018
【図１７】
2010045687.tif 000019
【図１８】
2010045687.tif 000020
【図１９】
2010045687.tif 000021
【図２０】
2010045687.tif 000022
【図２１】
2010045687.tif 000023
【図２２】
2010045687.tif 000024